(57)【要約】【課題】顧客の注意を十分に引きつけるように陳列可能とし、省スペースで設置できかつ収納性、取り出し性に優れた飲料用容器の陳列ラックを提供すること。【解決手段】飲料用容器を横倒姿勢で収納するとともに、飲料用容器を送出する送出口２６を有する収納部１０と、送出口２６の近傍に配設され送出口２６から横倒姿勢で落下してくる飲料用容器Ａ１を受け止めて取り出し可能とする取出部４０とを有し、取出部４０を、送出口２６より横倒姿勢で落下してくる飲料用容器Ａ１の一端側周面を支持する支持部４２ａと、飲料用容器Ａ１の落下に伴って飲料用容器Ａ１の他端を斜行案内して飲料用容器Ａ１を転回させ直立させる転回レール部４２ｂとを有するガイド部４２と、直立した飲料用容器Ｄを載置する載置部４１と、飲料用容器Ａ１の飛び出しを防止する飛び出し防止ストッパー４３とを有して形成する。【選択図】　図２
2004073342.tif 000002
【特許請求の範囲】
【請求項１】
缶、ペットボトルその他の飲料用容器を横倒姿勢で収納するとともに、前記飲料用容器を送出する送出口を有する収納部と、前記送出口の近傍に配設され、前記送出口から横倒姿勢で落下してくる前記飲料用容器を受け止めて取り出し可能とする取出部とを有しており、
前記取出部は、前記送出口より横倒姿勢で落下してくる前記飲料用容器の一端側周面を支持する支持部と、前記飲料用容器の落下に伴って前記飲料用容器の他端を斜行案内して前記飲料用容器を転回させ直立させる転回案内部とを有するガイド部と、
直立した前記飲料用容器を載置する載置部と、
前記飲料用容器の飛び出しを防止する飛び出し防止ストッパーとを有することを特徴とする飲料用容器の陳列ラック。
【請求項２】
取出部は、該取出部に直立して載置される直立飲料用容器が、収納部に横倒姿勢で収納されて送出口にて送出を待機する横倒飲料用容器の周面と当接する位置に載置されるよう配設され、前記直立飲料用容器が前記横倒飲料用容器を押さえて送出を阻止するようにしたことを特徴とする請求項１に記載の飲料用容器の陳列ラック。
【請求項３】
取出部には、飲料用容器が直立することに伴って前記飲料用容器を載置部の所定位置まで案内する案内板が配設されることを特徴とする請求項１または２に記載の飲料用容器の陳列ラック。
【請求項４】
収納部は、飲料用容器を横倒姿勢で連続して収納するよう前後方向に交互に折り返しながら連通状態で階層形成されており、最上層と最下層とにはそれぞれ前記飲料用容器を投入する投入口と前記飲料用容器を送出する送出口とを有するとともに、収納された前記飲料用容器が前記送出口に向かって自ずと転動するよう各階層が下降傾斜して形成されていることを特徴とする請求項１から３に記載の飲料用容器の陳列ラック。
【請求項５】
投入口には、開閉自在の蓋部が配設されていることを特徴とする請求項４に記載の飲料用容器の陳列ラック。
【発明の詳細な説明】
【０００１】
【発明の属する技術分野】
本発明は、缶、ペットボトル等の略円柱形状からなる飲料用容器を収納する陳列ラックに関するものである。
【０００２】
【従来の技術】
スーパーマーケット、コンビニエンスストア等の販売店では、缶、ペットボトル等の容器に入ったジュース、コーヒー等の多くの飲料製品が販売されている。これら飲料製品は、通常、底面が後方から前方にかけて下降傾斜して形成され、最前部にある飲料製品を抜き取ったときに、以降にある飲料製品が下降傾斜に沿って前方へと滑り出すようにした棚板状のラックをショーケース内に設置し、これに飲料用容器を直立姿勢で陳列している。しかし、このようなラックでは、複数の種類の製品が横並び同列に陳列されるために、顧客は商品の識別をしにくく、販売店側としても例えば新製品のような特定商品の売り込みを図りたい場合に、その特定商品が他の商品に埋もれて目立たなくなって、十分な売り込みを行えないということがあった。そこで、販売店では、特定商品が少しでも顧客の目に止まるようラックに商品情報を記載したポップを取り付けるなど工夫して陳列している。また、商品の宣伝効果を高めるために、特定の商品をレジカウンターの上など顧客の目の付きやすい場所に陳列することも時々行われている。このようにして陳列する場合には、レジカウンターの上に直接並べたり、またはトレー等の上に飲料製品を並べて行われていたが、これでは十分な数を陳列することができないだけでなく、目新しさに欠けるために顧客の目を十分に引きつけることができなかった。
【０００３】
【発明が解決しようとする課題】
そこで、販売店では、顧客の注意をより一層引きつけることができるとともに、省スペースで極力多くの数の飲料製品を陳列可能とする飲料用容器の陳列ラックの登場が望まれていた。
【０００４】
本発明は、このような事情を鑑みてなされたものであって、顧客の注意を十分に引きつけるように陳列可能であるとともに、省スペースで設置できかつ収納性、取り出し性に優れた飲料用容器の陳列ラックを提供することを課題とするものである。
【０００５】
【課題を解決するための手段】
上記課題を解決するために、請求項１に記載した発明が採った手段は、缶、ペットボトルその他の飲料用容器Ａ、Ｂ、Ｃを横倒姿勢で収納するとともに、飲料用容器を送出する送出口２６を有する収納部１０と、送出口２６の近傍に配設され、送出口２６から横倒姿勢で落下してくる飲料用容器Ａ１を受け止めて取り出し可能とする取出部４０とを有しており、取出部４０は、送出口２６より横倒姿勢で落下してくる飲料用容器Ａ１の一端側周面ａを支持する支持部４２ａと、飲料用容器の落下に伴って飲料用容器Ａ１の他端ｂを斜行案内して飲料用容器Ａ１を転回させ直立させる転回案内部４２ｂとを有するガイド部４２と、飲料用容器Ａ１を載置する載置部４１と、飲料用容器Ａ１の飛び出しを防止する飛び出し防止ストッパー４３とを有することを特徴とする飲料用容器の陳列ラック１００である。
【０００６】
この飲料用容器の陳列ラック１００は、収納部１０に横倒姿勢で収納され送出口２６から送出される飲料用容器Ａ１を、取出部４０で直立させて載置できるようにした飲料用容器の陳列ラック１００である。送出される飲料用容器Ａ１を取出部４０において直立姿勢で載置することにより、商品を目立つように陳列できるとともに、容器表面に記載されるラベル等を真っ直ぐ視認できるので顧客が製品を視認しやすくなり、商品の取り出しも行いやすくなる。
また、ガイド部４２が支持部４２ａと転回案内部４２ｂとを有することにより、送出口２６より横倒姿勢で落下してくる飲料用容器Ａ１の一端側周面ａを支持部４２ａが支持しながら、転回案内部４２ｂが飲料用容器Ａ１の他端ｂを斜行案内して、飲料用容器Ａ１が支持部４２ａとの接点を支点にして転回するようにしている。これにより、飲料用容器Ａ１を取出部４０においてスムーズに直立させることが可能となり、また、飲料用容器Ａ１が転回する動作が顧客の目に面白く映るので、顧客の興味をより引きつけることができるようになる。
【０００７】
尚、本明細書において、飲料用容器とは、ジュース、コーヒー、緑茶、紅茶等の清涼飲料水、ビール等のアルコール飲料を、１９０ｍｌ、２５０ｍｌ、３５０ｍｌ、５００ｍｌ等の各容量を有する缶、ペットボトル等の略円筒形の飲料用容器に充填した製品をいう。
【０００８】
また、請求項２に記載した発明が採った手段は、取出部４０は、取出部４０に直立して載置される直立飲料用容器Ｄが、収納部１０に横倒姿勢で収納されて送出口２６にて送出を待機する横倒飲料用容器Ａ１の周面と当接する位置に載置されるよう配設され、直立飲料用容器Ｄが横倒飲料用容器Ａ１を押さえて送出を阻止するようにしたことを特徴とする請求項１に記載の飲料用容器の陳列ラック１００である。
これは、取出部４０で直立姿勢にある飲料用容器Ｄが、送出口２６で横倒姿勢にある飲料用容器Ａ１と当接する位置に取出部４０を配設することにより、取出部４０に飲料用容器が載置されている場合に飲料用容器Ａ１が送出されないようにしたものである。従って、取出部４０に載置される飲料用容器Ｄを抜き取ったときには、横倒姿勢で送出口２６にある飲料用容器Ａ１は押さえを無くして取出部４０へと送出されることとなる。これにより、取出部４０にある飲料用容器Ｄを取り出したときに、収納部１０に収納される飲料用容器を送出口２６側へと順次送り出すことができるようになる。
【０００９】
また、請求項３に記載した発明が採った手段は、取出部４０には、飲料用容器Ａ１が直立することに伴って飲料用容器Ａ１を載置部４１の所定位置まで案内する案内板４１ｂが配設されることを特徴とする請求項１又は２に記載の飲料用容器の陳列ラック１００である。
載置部４１に案内板４１ｂを設けることにより、飲料用容器Ａ１が転回し、その際の惰性力によって飲料用容器Ａ１を載置部４１の所定位置へと案内することができるようになる。
【００１０】
また、請求項４に記載した発明が採った手段は、収納部１０は、飲料用容器Ａ、Ｂ、Ｃを横倒姿勢で連続して収納するよう前後方向に交互に折り返しながら連通状態で階層形成されており、最上層と最下層とにはそれぞれ飲料用容器Ａ、Ｂ、Ｃを収納部１０に投入する投入口２５と飲料用容器Ａ、Ｂ、Ｃを送出する送出口２６を有するとともに、収納された飲料用容器Ａ、Ｂ、Ｃが送出口２６に向かって自ずと転動するよう各階層が下降傾斜して形成されていることを特徴とする請求項１から３に記載の飲料用容器の陳列ラック１００である。
収納部１０を前後方向に交互に折り返しながら連通状態で階層形成し、かつ飲料用容器Ａ、Ｂ、Ｃを横倒姿勢で収納することにより、設置面積が十分に確保できない場所であっても、高さ方向の空間を活用して極力多くの数の飲料用容器を収納できるようになる。また、階層の最上層に投入口２５を設け、最下層に送出口２６を設けるとともに各階層を下降傾斜して形成することにより、飲料用容器Ａ、Ｂ、Ｃは最下層から上層側に向かって順次充填されて、送出口２６より順次送出できるようになる。
【００１１】
また、請求項５に記載した発明が採った手段は、投入口２６には、開閉自在の蓋部３０が配設されていることを特徴とする請求項５に記載の飲料用容器の陳列ラック１００である。
これは、投入口２５付近まで飲料用容器が充填されている場合に、顧客が誤って投入口２５から飲料用容器を取り出してしまうことを防止するために蓋部３０を配設するものである。
【００１２】
【発明の実施の形態】
以下、本発明の実施例を図に基づいて説明する。
（実施例１）
図１には、本実施例に係る飲料用容器の陳列ラック１００を示しており、図２には陳列ラック１００に飲料用容器Ａ１〜Ａ５及びＢ１〜Ｂ４を収納した状態を示している。
本実施例に示す陳列ラック１００は、１９０ｍｌの缶容器入りの飲料製品を横倒姿勢で複数が連なるようにして収納するものであり、ステンレス鋼からなる線材及び板材から組み上げられて収納部１０と、取出部４０とを有する。
収納部１０は、奥行枠１１と、横枠１６と、上段レール２０と、下段レール２３とを有して枠組みされており、互いに連通する上段収納部１０ａと下段収納部１０ｂとからなる。
【００１３】
奥行枠１１は、一の線材から矩形に形成された枠体を略コの字型に折曲げ形成してなり、その端部からなる奥行枠接地部１２ａ、１２ｂと、奥行枠接地部１２ａ及び１２ｂより上方に向かって垂直に延設される４つの奥行枠支柱部１３ａ、１３ｂ、１３ｃ、１３ｄと、奥行枠支柱部１３ａと１３ｃとの上端同士及び奥行枠支柱部１３ｂと１３ｄとの上端同士とをそれぞれ連結するの第一サイドガード部１４ａ、１４ｂとを形成している。また、第一サイドガード部１４ａ、１４ｂの下方には、第二サイドガード部１５ａ、１５ｂが配設されている。
【００１４】
横枠１６は、一の線材から矩形に形成された枠体を略コの字型に折曲げ形成してなり、その端部からなる横枠接地部１７ａ、１７ｂと、横枠接地部１７ａ、１７ｂより上方に向かって垂直に延設される４つの横枠支柱部１８ａ、１８ｂ、１８ｃ、１８ｄと、横枠支柱部１８ａと１８ｂ及び横枠支柱部１８ｃと１８ｄとをそれぞれ連結する天井部１９ａ、１９ｂとを有している。そして、天井部１９ａ、１９ｂが第一サイドガード部１４ａ、１４ｂの上方に位置しかつ直交するよう奥行枠１１に固着されている。
【００１５】
上段レール２０は、収納部１０を上下に仕切って上段収納部１０ａを形成するものである。上段レール２０は、横枠支柱部１８ａと１８ｂ及び１８ｃと１８ｄとをそれぞれ連結するように配設される２つの上段レール支持部２１ａ、２１ｂの上面に固着されている。ここで、後方側にある上段レール支持部２１ｂは前方側にある上段レール支持部２１ａよりも下方に位置し、上段レール２０は前方側から後方側に向かって下降傾斜を有して配設されるようになる。これにより、上段収納部１０ａに収納される飲料用容器Ｂ１〜Ｂ４が、前方側から後方側へ自ずと転動し、次に詳述する下段収納部１０ｂへと移動することができるようになる。また、上段レール２０の前端は上方に屈曲されて、飲料用容器Ｂ４が前方に転がり出ないようにする止め部２２が形成されている。
こうして形成される上段収納部１０ａには、飲料用容器を収納部１０内に投入するための投入口２５が形成される。投入口２５は、上段収納部１０ａの上方前端部分が開口して形成されており、ここから飲料用容器を収納部１０に投入することができるようにしている。
また、投入口２５には、蓋部３０が配設されている。蓋部３０は、天井部１９ａに軸着されて上下に回動自在となっており、通常は閉じた状態で投入口２５を塞いでいる。これにより、顧客が誤って投入口２５から上段収納部１０ａに収納される飲料用容器Ｂ４を取り出さないようにしている。そして、新たに飲料用容器を投入口２５より投入する場合には、蓋部３０を上方に回動させて行う。また、蓋部３０の前面部分には、図２に示すように、文字、図形、各種標章等を記載したシールを貼り付けるなどして、広告等の各種情報を顧客に対して表示することもできる。
【００１６】
下段レール２３は、飲料用容器Ａ１〜Ａ５を載置して下段収納部１０ｂを形成するものである。下段レール２３は、横枠支柱部１８ａと１８ｂ及び１８ｃと１８ｄとをそれぞれ連結するように配設される２つの下段レール支持部２４ａ、２４ｂの上面に固着されている。また、下段レール２３の前端は、下方に屈曲形成されて奥行枠接地部１２ａの上面に固着されている。一方、後端は上方に弧を描くように屈曲形成されて天井部１９ｂに固着されている。ここで、前方側に配設される下段レール支持部２４ａは、後方側に配設される下段レール支持部２４ｂよりも下方に位置しており、これにより下段レール２３は後方側から前方側に向かって下降傾斜して配設される。
このように形成される下段収納部１０ｂには、その前方部分が開口してなる送出口２６が形成されている。従って、下段収納部１０ｂに収納される飲料用容器Ａ１〜Ａ５は、下段レール２３に案内されて送出口２６に向かって自ずと転動し、送出口２６より順次送出されるようになる。さらに、下段レール２３の後端が上段収納部１０ａ側に屈曲形成されて、上段収納部１０ａと下段収納部１０ｂとが前後方向に折り返しながら繋がった状態に形成されるので、上段収納部１０ａから転動してくる飲料用容器Ｂ１〜Ｂ４を下段収納部１０ｂに案内し、さらに送出口２６へと案内することができるのである。
【００１７】
取出部４０は、送出口２６の直下に配設されており、載置部４１と、ガイド部４２と、飛び出し防止ストッパー４３とを有する。
載置部４１は、送出口２６より送出される飲料用容器を直立姿勢で載置するものであり、載置面部４１ａと案内板４１ｂとを有する。
載置面部４１ａは、略台形の平板から形成され、その斜辺部分が送出口２６側に向いて、奥行枠接地部１２ａから前方水平方向に延設されるステー４１ｃの上面に固着されている。案内板４１ｂは、載置面部４１ａの台形斜辺部分から上方に向かって垂直に延設されている。このように案内板４１ｂを設けることにより、送出口から落下してくる飲料用容器Ａ１が直立するときに、案内板と接触して載置面部４１ａの所定位置に載置できるようになる。
【００１８】
ガイド部４２は、送出口２６より横倒姿勢で送出される飲料用容器を転回をさせ直立させるものであり、支持部４２ａと転回案内部４２ｂとを有する。
支持部４２ａは、送出口２６より転動してくる飲料用容器の一端側の周面、すなわち図２において飲料用容器Ａ１の斜線部分ａとして指し示す部分と接するように、載置面部４１ａから下段レール２３と略同じ高さ位置まで上方向に向かって延設されている。
転回案内部４２ｂは、送出口２６より横倒姿勢で送出される飲料用容器の他端、すなわち図２において飲料用容器Ａ１の斜線部分ｂとして指し示す部分と接するように載置面部４２ａから斜め上方向に向かって延設されている。
飛び出し防止ストッパー４３は、送出口２６より送出される飲料用容器が取出部４０より外に飛び出さないようにするものであり、載置面部４１ａの前端から上方向に向かって延設されている。
【００１９】
図３は、陳列ラック１００に飲料用容器Ａ１〜Ａ５及びＢ１〜Ｂ４を収納した様子を側面よりみた図である。飲料用容器Ａ１〜Ａ５及びＢ１〜Ｂ４は、上段収納部１０ａから下段収納部１０ｂにかけて横倒姿勢で連なって収納されている。そして、取出部４０には飲料用容器Ｄが直立姿勢で載置されている。このとき、取出部４０にて直立して載置される飲料用容器Ｄは、送出口２６の位置にある飲料用容器Ａ１と当接しており、これにより取出部４０に飲料用容器Ｄがあるときには飲料用容器Ａ１が押さえられて送出されないようになっている。従って、取出部４０にある飲料用容器Ｄを抜き取ったときには、送出口２６にある飲料用容器Ａ１は押さえを失って取出部４０へと送出され、それ以降にある飲料用容器Ａ２〜Ａ５は送出口２６に向かって転動し、飲料用容器Ｂ１〜Ｂ４もまた下段収納部１０ｂへ向かって転動することとなる。
【００２０】
図４には、本実施例に係る飲料用容器の陳列ラック１００を正面からみた図であって、送出口２６から横倒姿勢で送出される飲料用容器Ａ１が、取出部４０にて直立姿勢となって載置されるまでの動きを説明している。
まず、（ｉ）に示すように、取出部４０に直立して載置される飲料用容器Ｄを抜き取る。すると、（ｉｉ）に示すように、送出口２６にて待機していた飲料用容器Ａ１が送出されて、取出部４０に落下し始める。このとき、飲料用容器Ａ１の斜線部ａで示す部分が支持部４２ａにより支持される。一方、飲料用容器Ａ１の斜線部ｂで示す部分が転回案内部４２ｂに沿って滑り落ちることとなって、飲料用容器Ａ１が支持部４２ａとの接点を支点に転回することとなる。そして、飲料用容器Ａ１は、転回過程において案内板４１ｂと接触して載置面部４１ａの所定位置へと案内され、（ｉｉｉ）に示すように載置部４１に直立した状態で載置されることとなる。
【００２１】
本実施例に係る飲料用容器の陳列ラック１００は、収納部１０を上段収納部１０ａと下段収納部１０ｂとから形成して、飲料用容器を横倒姿勢で複数連なるように収納することにより、高さスペースを有効に使用して収納することができるので、ショーケースやレジカウンターの上などの設置面積が限定される場所であっても、多くの数の飲料用容器を収納することができる。また、線材を組み上げて作製するので、収納部１０が通気性を有するようになり、例えば、陳列ラック１００を冷蔵または加熱ショーケースの中に入れて使用する場合、収納部１０全体に冷気または熱気が行き渡るようになるため、飲料用容器を効率良く冷却または加熱することができる。また、取出部４０において飲料用容器を直立姿勢で載置するので、飲料用容器を取り出しやすくなるとともに、飲料用容器に表示されるラベル等を顧客が真っ直ぐに視認できるようになって、商品を識別しやすくなる。さらに、送出される飲料用容器が直立姿勢となるようガイド部により転回される様が顧客の目に面白く映り、販売促進に効果的である。
【００２２】
（実施例２）
図５には、実施例２に係る飲料用容器の陳列ラック１００が示されている。本実施例に係る陳列ラック１００は、実施例１の陳列ラック１００を２台並列に繋げた形状を採っており、その基本構成は実施例１の陳列ラック１００と同様である。
従って、ここでは実施例１と相違する部分についてのみ説明する。
陳列ラック１００は、収納部１０が第一収納部１０Ａと第二収納部１０Ｂとからなる。第一収納部１０Ａと第二収納部１０Ｂとは、互いに隣接する側にそれぞれ配設される第一サイドガード部１４と第二サイドガード部１５とによって仕切られており、さらに第一収納部１０Ａと第二収納部１０Ｂとの間には中央支柱部５０が介在している。
横枠１６は、横枠接地部１７ａ、１７ｂと、横枠支柱部１８ａ、１８ｂ、１８ｃ、１８ｄと、天井部１９ａ、１９ｂとからなる点においては実施例１と同様であるが、天井部１９ａ、１９ｂが、第一収納部１０Ａと第二収納部１０Ｂとを横架するように配設されて、中央支柱部５０の上端に固着されている。
それら以外の構成は実施例１の陳列ラック１００と同様である。
【００２３】
（実施例３）
図６には、実施例３に係る飲料用容器の陳列ラック１００が示されている。本実施例に示す陳列ラック１００は上記実施例１に示した陳列ラック１００を改良を加えたものである。
本実施例に係る陳列ラック１００は、３５０ｍｌ缶容器入りの飲料製品を収納するものであり、その枠組み形態は上記実施例１とは相違するものの、飲料用容器を横倒姿勢で収納し上段収納部１０ａと下段収納部１０ｂとから形成される収納部１０と、飲料用容器を横倒姿勢で載置可能とする取出部４０とを有するという基本構成は上記実施例１と同様である。従って、ここでは、収納部１０の枠組み形態についての説明は省略するものとし、収納部１０と取出部４０とにおける実施例１と相違する部分について重点的に説明する。
【００２４】
収納部１０は、上段収納部１０ａと下段収納部１０ｂとから形成されている。上段収納部１０ａと下段収納部１０ｂとは前後方向に折り返したように連通した状態にある。
上段収納部１０ａは、投入口２５と、上段レール２０と、受部２７とが形成されている。投入口２５は、上段収納部１０ａの上面全体が開口して形成されている。上段レール２０は、前方から後方に向かって下降傾斜するよう配設されて、上段収納部１０ａに収納される飲料用容器を下段収納部１０ｂ側に自ずと転動するよう案内する。
また、上段収納部１０ａには飲料用容器を２段に重ねて収納できるようになっている。受部２７は、上段収納部１０ａに２段重ねで収納される飲料用容器のうち、上段側最後方に位置する飲料用容器を受けるためのものであり、上段収納部１０ａの後方に配設されている。受部２７の機能については後に詳述することとする。
【００２５】
下段収納部１０ｂは、送出口２６と下段レール２３とを有する。送出口２６は、下段収納部１０ｂの前方部分が開口して形成されている。下段レール２３は後方側から前方側にかけて下降傾斜して配設されて下段収納部１０ｂにある飲料用容器が送出口２６側に自ずと転動するよう案内する。
【００２６】
取出部４０は、実施例１とほぼ同様に形成されており、載置面部４１ａを有する載置部４１と、支持部４２ａと転回案内部４２ｂとからなるガイド部４２と、飛び出し防止ストッパー４３とを有して、送出口２６より送出される飲料用容器をガイド部４２によって直立させて載置できるようにしている。そして、送出口２６の直下に設けられるとともに、下段収納部１０ｂの床面よりも下方に突出するようにして配設されている。このように下段収納部１０ｂの床面よりも下方に突出して配設することにより、例えば、陳列ラック１００をレジカウンターの上のような台上に設置する際に、取出部４０をレジカウンターの前面に突出させることができるので、商品の存在をより強調しながら陳列することができるようになる。また、取出部４０を下方に突出させる分、設置面と下段収納部１０ｂとの間に生じるデッドスペースを極力少なくすることができるので、収納部１０の高さを低く押さえることができるようになる。
【００２７】
図７には、本実施例に係る飲料用容器の陳列ラック１００に飲料用容器Ａ１〜Ａ４、Ｂ１〜Ｂ４及びＣ１〜Ｃ４を収納した状態を示している。上段収納部１０ａには、上段レール２０に接する飲料用容器Ｂ１〜Ｂ４と、飲料用容器Ｂ１〜Ｂ４上に重なって収納される飲料用容器Ｃ１〜Ｃ４とが２段重ねの状態となって収納されている。一方、下段収納部１０ｂには飲料用容器Ａ１〜Ａ４が収納されており、これに飲料用容器Ｂ１〜Ｂ４及びＣ１からＣ４が連なっている。そして、取出部４０に載置される飲料用容器Ｄを取り出したときに飲料用容器Ａ１が取出部４０に送出され、飲料用容器Ａ２〜Ａ４が送出口２６側へと転動し、飲料用容器Ｂ１〜Ｂ４及びＣ１〜Ｃ４が下段収納部１０ｂ側へと転動することとなる。ここで、飲料用容器Ｃ４はその下方に位置する飲料用容器Ｂ１と接しないように受部２７によって支持されている。もし仮に、飲料用容器Ｃ４が飲料用容器Ｂ１と接した状態にあると、飲料用容器Ｂ１が下段収納部１０ｂに転動したときに、飲料用容器Ｂ２が転動する前に飲料用容器Ｃ４が落下してしまい、順序よく転動させることができなくなる。従って、受部２７を設けることにより、飲料用容器を順番に転動させることができるのである。
【００２８】
尚、本発明に係る飲料用容器の陳列ラックは、上記実施例１から３に示した形態に限定されるものではなく、例えば、飲料用容器の容量や収納しようとする数に合わせて収納部の横幅長さや段数を設定したり、或いは収納部を複数並列に繋いで設けるなど、適宜設定すればよい。また、ステンレス鋼からなる線材のみならず、スチールその他の金属線材にメッキ処理を施す等して防錆処理したものを用いてもよいし、さらに金属線材を組み合わせて作製することに代えて、例えばプラスチックを成形して作製するなどしてもよい。
【００２９】
【発明の効果】
請求項１に記載した飲料用容器の陳列ラックによれば、取出部を飲料用容器を横倒姿勢で収納する収納部の送出口近傍に配設し、送出口より横倒姿勢で落下してくる飲料用容器の一端側周面を支持する支持部と、飲料用容器の落下に伴って飲料用容器の他端を載置部まで斜行案内して前記飲料用容器を転回させ直立させる転回案内部とを有するガイド部と、飲料用容器を載置する載置部と、飲料用容器の飛び出しを防止する飛び出し防止ストッパーとを有して形成することによって、取出部に載置される飲料用容器のみが直立姿勢となって容器表面に記載されるラベル等を確認しやすくなる。また、横倒姿勢で送出される飲料用容器を取出部においてスムーズかつ確実に直立させることが可能となるとともに、飲料用容器が転回する動作が顧客の目に面白く映って、顧客の興味をより一層引きつけることができるようになり、販売促進に有効である。さらに、取出部に飲料用容器を直立姿勢で載置するので、飲料用容器の取り出しやすい。
【００３０】
請求項２に記載した飲料用容器の陳列ラックによれば、請求項１に記載の飲料用容器の陳列ラックの効果に加えて、取出部に直立して載置される直立飲料用容器が、収納部に横倒姿勢で収納されて送出口にて送出を待機する横倒飲料用容器の周面と当接する位置に載置されるように取出部を配設したことによって、取出部に載置される飲料用容器を抜き取ったときに送出口にある飲料用容器による押さえが外れて送出されるようになるので、飲料用容器を送出口から取出部へと順次スムーズに送り出すことができるようになる。
【００３１】
請求項３に記載した飲料用容器の陳列ラックによれば、請求項１または２に記載した飲料用容器の陳列ラックの効果に加えて、取出部に案内板を配設したことにより、ガイド部により直立される飲料用容器を載置面部の所定位置に載置することができる。
【００３２】
請求項４に記載した飲料用容器の陳列ラックによれば、請求項１から３に記載した飲料用容器の陳列ラックの効果に加えて、収納部を飲料用容器が横倒姿勢で連続して収納するよう前後方向に交互に折り返しながら連通状態で階層形成し、たことにより、飲料用容器を高さ方向に収納することができるので、設置面積が狭い場所であっても多くの飲料用容器を収納することができる。
さらに、最下層と最上層とにそれぞれ送出口と投入口と形成しかつ飲料用容器が送出口に向かって自動的に転動するよう各階層を下降傾斜して形成したので、飲料用容器を陳列ラックの上部から投入できるので飲料用容器の充填作業が行いやすくかつ目詰まりを起こすことなく送出口から確実に送出することができる。
【００３３】
請求項５に記載した飲料用容器の陳列ラックによれば、請求項４に記載した飲料用容器の陳列ラックの効果に加えて、投入口に開閉自在の蓋部を配設したことにより、顧客が誤って投入口から飲料用容器を取り出すことを防止することができる。これにより、例えば冷蔵庫内で使用するときに、顧客は先入れして十分に冷却された飲料用容器を取り出すことができるようになる。また、蓋部の表面に取り出し方法の説明や、広告効果のある文字、図形、各種標章等を表示して、商品を顧客により強くアピールすることができる。
【図面の簡単な説明】
【図１】実施例１に係る飲料用容器の陳列ラックの斜視図である。
【図２】実施例１に係る飲料用容器の陳列ラックに飲料用容器を収納した状態を示す斜視図である。
【図３】実施例１に係る飲料用容器の陳列ラックに飲料用容器を収納した状態を示す側面図である。
【図４】実施例１に係る飲料用容器の陳列ラックであって、飲料用容器が送出口から送出されて取出部に載置されるまでの動作を説明する図である。
【図５】実施例２に係る飲料用容器の陳列ラックの斜視図である。
【図６】実施例３に係る飲料用容器の陳列ラックの斜視図である。
【図７】実施例３に係る飲料用容器の陳列ラックに飲料用容器を収納した状態を示す側面図である。
【符号の説明】
１０　　収納部
２５　　投入口
２６　　送出口
３０　　蓋部
４０　　取出部
４１　　載置部
４２　　ガイド部
４２ａ　支持部
４２ｂ　転回案内部
４３　　飛び出し防止ストッパー
１００　陳列ラック
Ａ、Ｂ、Ｃ、Ｄ　　飲料用容器
【図１】
2004073342.tif 000003
【図２】
2004073342.tif 000004
【図３】
2004073342.tif 000005
【図４】
2004073342.tif 000006
【図５】
2004073342.tif 000007
【図６】
2004073342.tif 000008
【図７】
2004073342.tif 000009